(57)【特許請求の範囲】
【請求項１】
底面板（１）の前縁に前面板（２）、表示板（４）、折返板（５）、突支板（６）及び前重板（７）を順次連設し、前記底面板（１）の側縁に側面板（８）を連設し、この側面板（８）の前縁に前折片（９）を連設し、前記底面板（１）に対し前面板（２）及び側面板（８）を起立させ、表示板（４）を斜前下方へ折り曲げ、表示板（４）の裏面に折返板（５）を重ね、突支板（６）の先端を前面板（２）に突き当て、前重板（７）及び前折片（９）を前面板（２）に固着した棚用表示具。
【請求項２】
前記前重板（７）の基端部に突支板（６）を切り込んで係合片（１３）を突設し、この係合片（１３）が係合する係合孔（１４）を前記前面板（２）に形成し、側面板（８）に下端前角を起点として斜上方へ延びる斜折線（１５）を設けた請求項１に記載の棚用表示具。
【請求項３】
底面板（２１）の前縁に前面板（２２）及び表示板（２４）を順次連設し、この表示板（２４）の一側縁に差込片（２５）を突設し、前記底面板（２１）の各側縁に側面板（２６、２７）をそれぞれ連設し、一方の側面板（２６）の前縁に前折片（２８）を、他方の側面板（２７）の前縁に延出部（２９）をそれぞれ設け、側面板（２７）の延出部（２９）に差込孔（３１）を形成し、前記底面板（２１）に対し前面板（２２）及び側面板（２６）を起立させ、前折片（２８）を前面板（２２）の前面に固着し、表示板（２４）を斜前下方へ折り曲げ、側面板（２７）を起立させ、差込片（２５）を差込孔（３１）に差し込んだ棚用表示具。
【請求項４】
底面板（４１）の前縁に前面板（４２）、表示板（４４）、折返板（４５）を順次連設し、前記底面板（４１）の両側縁に側面板（４６）を連設し、各側面板（４６）の前縁に前重片（４７）、突出片（４８）及び裏当板（４９）を順次連設し、突出片（４８）の前縁を底側へ向かって突き出すように傾斜させ、突出片（４８）の底縁に係合片（５０）を連設し、前記底面板（４１）に対し前面板（４２）及び側面板（４６）を起立させ、表示板（４４）を斜前下方へ折り曲げ、前重片（４７）を前面板（４２）の前面に固着すると共に、突出片（４８）を前方へ突き出させて係合片（５０）同士を係合させ、裏当板（４９）に表示板（４４）を固着した棚用表示具。
【発明の詳細な説明】
【０００１】
【発明の属する技術分野】
この発明は、小売店の棚にセットして商品についての宣伝や価格を表示する厚紙製の棚用表示具に関するものである。
【０００２】
【従来の技術及び課題】
従来より、この種の棚用表示具として、プラスチックの成形品が使用されている。しかしながら、プラスチックは廃棄に伴い焼却すると高熱や黒煙を発生し、また土中に埋めると分解されずに残存するため、紙製の棚用表示具が要望されている。
【０００３】
【課題を解決するための手段】
そこで、この発明は、厚紙を素材として、前面板及び側面板の起立状態が相互の貼着により維持されると共に、表示板の角度が前面板への突っ張り又は側面板との係合により維持される棚用表示具を提供する。
【０００４】
【発明の実施の形態】
この発明の第１実施形態を図１乃至図６に基づいて説明する。図１に示すブランクにおいて、底面板１の前縁には前面板２、頂板３、表示板４、折返板５、突支板６及び前重板７が順次連設され、また、底面板１の側縁には側面板８が連設され、側面板８の前縁には前折片９が連設されている。表示板４には見本等の差込孔１０が設けられている。
【０００５】
上記ブランクは、図２に示すように折り曲げて図３及び図４に示す使用時の形態に組み立てる。その過程では、底面板１に対し前面板２及び側面板８を起立させ、頂板３を前方へ、表示板４を斜前下方へ折り曲げ、表示板４の裏面に折返板５を重ねて貼着し、突支板６の先端を前面板２に突き当て、前重板７及び前折片９を前面板２に貼着する。このように組み立てると、前面板２及び側面板８の起立状態が相互の貼着によって維持されると共に、突支板６が支えとなって表示板４の角度が維持される。
【０００６】
上記表示具は、店頭で使用する際、表示板４に宣伝等を記載して、図３及び図４に示すように、棚Ｓの前部に設けられたバーＢが突支板６の下方に納まるように棚Ｓの上に載せる。このとき、表示具の前後方向の移動がバーＢにより阻止され、底面板１上に商品Ｇを置くと、商品Ｇは側面板８により整列されて、他商品の割り込みも防止される。
【０００７】
なお、図５及び図６に示すように、表示板４にカード差し１１を取り付け、このカード差し１１で商品Ｇの宣伝等を記載したカード１２を保持するようにすると、カード１２を差し替えることにより、１つの表示具を表示内容を変えて繰り返し使用できる。
【０００８】
また、図７乃至図１０に示す第２実施形態の陳列具は、前重板７の基端部に突支板６を切り込んで係合片１３を突設し、この係合片１３が係合する係合孔１４を前面板２に形成したものであり、前重板７が小さくても、前重板７を前面板２に容易に位置決めして貼着できる。
【０００９】
さらに、この陳列具は、側面板８に下端前角を起点として斜め上方に延びる斜折線１５が形成されているので、前重板７の前面板２への貼着に先立ち、側面板８を斜折線１５に沿って屈曲させることにより、扁平に折り畳むことができ、小売店等において嵩張ることなく保管できる。
【００１０】
次に、この発明の第３実施形態を図１１乃至図１３に基づいて説明する。図１１に示すブランクにおいて、底面板２１の前縁には前面板２２、頂板２３及び表示板２４が順次連設され、この表示板２４の一側には差込片２５が突設されている。また、底面板２１の各側縁には側面板２６、２７がそれぞれ連設され、一方の側面板２６の前縁には前折片２８が、他方の側面板２７の前縁には延出部２９がそれぞれ設けられている。さらに、側面板２６には斜折線３０が、側面板２７の延出部２９には差込孔３１がそれぞれ形成されている。
【００１１】
上記ブランクを組み立てるには、図１２及び図１３に示すように、底面板２１に対し前面板２２及び側面板２６を起立させ、前折片２８を前面板２２の前面に貼着し、表示板２４を斜前下方へ折り曲げ、側面板２７を起立させ、差込片２５を差込孔３１に差し込む。
【００１２】
このように組み立てると、前面板２２及び側面板２６の起立状態が相互の貼着によって維持されると共に、表示板２４の角度が差込片２５の差込孔３１への差し込みにより維持される。
【００１３】
上記表示具は、店頭で使用する際、表示板２４に宣伝等を記載して、図１３に示すように、棚Ｓの前部に設けられたバーＢが頂板２３の下方に納まるように棚Ｓの上に載せる。このとき、表示具の前後方向の移動がバーＢにより阻止され、底面板２１上に商品Ｇを置くと、商品Ｇは側面板２７により整列されて、他商品の割り込みも防止される。
【００１４】
また、この表示具は、差込片２５の差込孔３１への差し込みに先立ち、側面板２６を斜折線３０に沿って屈曲させることにより、扁平に折り畳むことができるので、小売店等において嵩張ることなく保管できる。
【００１５】
次に、この発明の第４実施形態を図１４乃至図１８に基づいて説明する。図１４に示すブランクにおいて、底面板４１の前縁には前面板４２、頂板４３、表示板４４及び折返板４５が順次連設され、底面板４１の両側縁には側面板４６が連設されている。側面板４６の前縁には前重片４７、突出片４８及び裏当板４９が順次連設され、突出片４８の前縁は底側へ向かって突き出すように傾斜し、突出片４８の底縁には鉤形の係合片５０が連設されている。また、表示板４４には見本等の差込孔５１が設けられている。
【００１６】
上記ブランクを組み立てるには、図１５及び図１６に示すように、底面板４１に対し前面板４２及び側面板４６を起立させ、表示板４４を斜前下方へ折り曲げ、前重片４７を前面板４２の前面に貼着すると共に、突出片４８を前方へ突き出させて係合片５０同士を係合させ、表示板４４を裏当板４８に貼着する。
【００１７】
このように組み立てると、前面板４２及び側面板４６の起立状態が相互の貼着によって維持されると共に、前面板４２から前方へ突出した突出片４８が支えとなって表示板４４の角度が維持される。
【００１８】
上記表示具は、店頭で使用する際、表示板４４に宣伝等を記載して、図１７及び図１８に示すように、棚Ｓの前部に設けられたバーＢが係合片５０の下方に納まるように棚Ｓ上に載せる。このとき、表示具の前後方向の移動はバーＢにより阻止される。そして、底面板４１上に商品Ｇを置くと、側面板４６により商品Ｇは整列され、他商品の割り込みも防止される。
【００１９】
【発明の効果】
以上説明したように、この発明に係る棚用表示具は、厚紙で構成しても確実に保形され、表示板の角度が維持されるので、プラスチック製のものと同様に、店頭での商品表示に使用できる。
【００２０】
また、廃棄に伴い焼却しても著しい高熱や黒煙を発生することがなく、また土中に埋めても分解されるので、環境に悪影響を及ぼすことがない。
【図面の簡単な説明】
【図１】第１実施形態のブランクを示す図
【図２】同上の組立過程を示す斜視図
【図３】同上の使用状態を示す斜視図
【図４】同上の縦断側面図
【図５】同上のカード差しによる使用状態を示す斜視図
【図６】同上の縦断側面図
【図７】第２実施形態のブランクを示す図
【図８】同上の組立過程を示す斜視図
【図９】同上の使用状態を示す斜視図
【図１０】同上の縦断側面図
【図１１】第３実施形態のブランクを示す図
【図１２】同上の組立過程を示す斜視図
【図１３】同上の使用状態を示す斜視図
【図１４】第４実施形態のブランクを示す図
【図１５】同上の組立過程を示す底面側からの斜視図
【図１６】同上の組立状態を示す底面側からの一部切欠斜視図
【図１７】同上の使用状態を示す斜視図
【図１８】同上の縦断側面図
【符号の説明】
１、２１、４１  底面板
２、２２、４２  前面板
３、２３、４３  頂板
４、２４、４４  表示板
５、４５  折返板
６  突支板
７、４７  前重板
８、２６、２７、４６  側面板
９、２８  前折片
１３  係合片
１４  係合孔
２５  差込片
２９  延出部
３１  差込孔
４８  突出片
４９  裏当板
５０  係合片
【図１】
0004321905.tif 000002
【図２】
0004321905.tif 000003
【図３】
0004321905.tif 000004
【図４】
0004321905.tif 000005
【図５】
0004321905.tif 000006
【図６】
0004321905.tif 000007
【図７】
0004321905.tif 000008
【図８】
0004321905.tif 000009
【図９】
0004321905.tif 000010
【図１０】
0004321905.tif 000011
【図１１】
0004321905.tif 000012
【図１２】
0004321905.tif 000013
【図１３】
0004321905.tif 000014
【図１４】
0004321905.tif 000015
【図１５】
0004321905.tif 000016
【図１６】
0004321905.tif 000017
【図１７】
0004321905.tif 000018
【図１８】
0004321905.tif 000019